(57)【要約】【課題】  共通なＯＳＤデータを用いて、各解像度の映像に重畳するＯＳＤデータを合成することになり、回路規模が削減できる。【解決手段】  ＨＤ（High Definition）映像信号を映像解像度変換部１２４によりＮＴＳＣやＰＡＬ等のＳＤ（Standard Definition）映像信号に変換する。メモリ制御部１０１にはＨＤ映像信号を分周して得られたＳＤ映像と同様の同期信号、ＳＤ映像信号に基づく同期信号が供給され、それぞれの同期信号に基づいてメモリ１０２よりＯＳＤデータ（１画素４ビット）を読み出す。ＳＤ映像信号に基づいて読み出されたＯＳＤデータはＳＤ＿ＯＳＤ＿ＭＩＸ部にてＳＤ映像信号と合成され、出力される。一方、ＨＤに同期したＳＤ同期信号で読み出されたＯＳＤデータはＯＳＤ解像度変換部１１６にて整数倍され、ＨＤ＿ＯＳＤ＿ＭＩＸ部１１８にてＨＤ映像信号と合成され出力される。【選択図】  図１
2005326684.tif 000002
【特許請求の範囲】
【請求項１】
複数の解像度の映像信号を生成する映像装置であって、
所定の基準となる解像度用のビットマップＯＳＤ（On Screen Display）データを格納するメモリと、
原映像信号から前記基準となる解像度を含む、異なる解像度の映像信号を生成する映像信号解像度変換手段と、
複数の解像度の映像信号それぞれに同期し、前記メモリにアクセスして、それぞれ毎にＯＳＤデータを読み出す読出手段と、
前記基準となる解像度以外の解像度の映像信号用として読出したＯＳＤデータを、当該解像度用のＯＳＤデータに変換するＯＳＤデータ解像度変換手段と、
各解像度毎に設けられ、各解像度の映像信号と、該当するＯＳＤデータとを合成する合成手段と、
該合成手段で合成された映像信号を出力する出力手段と
を備えることを特徴とする映像装置。
【請求項２】
前記ＯＳＤデータ解像度変換手段は、水平、垂直とも前記メモリより読出したＯＳＤデータをＭ倍、もしくは１／Ｍ倍（Ｍは整数）することを特徴とする請求項１に記載の映像装置。
【請求項３】
前記ＯＳＤデータ解像度変換手段は、解像度変換したＯＳＤデータの領域サイズが、該当する解像度の映像の領域サイズ未満になるよう変換することを特徴とする請求項１又２に記載の映像装置。
【請求項４】
前記合成手段は、前記メモリより読出したＯＳＤデータをアドレスとして入力し、ＯＳＤの表示形態を決定するデータを出力するルックアップテーブルを、それぞれの解像度毎に有することを特徴とする請求項１又は２に記載の映像装置。
【請求項５】
前記ルックアップテーブルは書き込み可能であって、少なくとも映像信号とＯＳＤデータをミックスする、ＯＳＤデータを表示しないで映像データを表示する／映像データを表示しないでＯＳＤデータを表示する、及び、色データが格納されることを特徴とする請求項３に記載の映像装置。
【請求項６】
前記メモリには、複数の解像度の中の最低解像度のＯＳＤデータを格納することを特徴とする請求項１乃至５のいずれか１項に記載の映像装置。
【請求項７】
前記最低解像度のＯＳＤデータの表示領域のサイズをＷ０×Ｈ０とし、前記最低解像度以外の各解像度の表示領域サイズをＷｉ×Ｈｉとしたとき、
Ｗ０×Ｎ＜Ｗｉ
Ｈ０×Ｍ＜Ｈｉ
（ここで、Ｎ，Ｍは整数）
なる関係を有することを特徴とする請求項６に記載の映像装置。
【請求項８】
請求項１乃至７のいずれか１項に記載の映像装置を有する撮像装置。
【発明の詳細な説明】
【技術分野】
【０００１】
本発明は、異なる表示解像度を持つ複数の表示装置に映像を表示する際の映像上にＯＳＤ（On Screen Display）を多重化する技術に関するものである。
【背景技術】
【０００２】
従来、デジタルビデオカメラなどの映像装置では、本体に付属した液晶表示パネルやＥＶＦ（Electrical View Finder）、外部表示装置（ＴＶモニタ等）に出力するためのラインアウト（コンポジット映像出力や、輝度と色差信号を独立して伝送するＳ出力等）など、複数の表示先を持っている。そして、これらの表示先に表示または出力する映像信号は通常、同一解像度であった。また、個々の表示先に対して同一ＯＳＤを多重化するか／多重化しないかの切り替え機能などは存在した。
【０００３】
一方、映像フォーマットの環境を見ると、従来のＮＴＳＣやＰＡＬフォーマット（以後、ＳＤフォーマット）だけでなく、より解像度の高いハイビジョンのフォーマット（以後、ＨＤフォーマット）が混在しつつある。対応する各種デジタルフォーマットについては、ＩＴＵ（International Telecommunication Union：国際電気通信連合）やＳＭＰＴＥ（Society of Motion Picture and Television Engineers）などの団体により規定されている。
【０００４】
昨今では、民生用のデジタルビデオカメラにおいても、ＳＤフォーマットとＨＤフォーマットのどちらのフォーマットでも記録再生できるものも製品化されている。表示においては、例えば、ＨＤフォーマットでの再生時には、ＨＤフォーマットを受けて表示できる表示装置にＨＤフォーマットで出力しながら、機器内でＨＤフォーマットからＳＤフォーマットに映像の解像度をダウンコンバートしたものを、ＳＤフォーマットを受けて表示する表示装置にＳＤフォーマットで出力できるものも存在する（例えば、特許文献１参照）。
【特許文献１】特開２００２−１２５１９３号公報（第１９図）
【発明の開示】
【発明が解決しようとする課題】
【０００５】
こうした背景の下、従来、異なる表示フォーマットをそれぞれ表示または出力する場合に、それぞれ専用のＯＳＤデータをそれぞれの映像フォーマットに多重化してＯＳＤ表示を行っているものや、ＯＳＤデータを元の映像に多重化した後で、合わせて解像度変化をして表示していたが、表示しようとするＯＳＤデータを各解像度毎に用意しなければならないし、ＯＳＤデータの品位が損なわれることもあった。
【０００６】
そこで、本発明は、一つの共通のＯＳＤデータから、解像度の異なる映像フォーマットに、簡便な仕組みで、かつ、ＯＳＤの品位を落とすことなく多重化する技術を提供しようとするものである。
【課題を解決するための手段】
【０００７】
上記課題を解決するため、例えば本発明の映像装置は以下の構成を備える。すなわち、
複数の解像度の映像信号を生成する映像装置であって、
所定の基準となる解像度用のビットマップＯＳＤ（On Screen Display）データを格納するメモリと、
原映像信号から前記基準となる解像度を含む、異なる解像度の映像信号を生成する映像信号解像度変換手段と、
複数の解像度の映像信号それぞれに同期し、前記メモリにアクセスして、それぞれ毎にＯＳＤデータを読み出す読出手段と、
前記基準となる解像度以外の解像度の映像信号用として読出したＯＳＤデータを、当該解像度用のＯＳＤデータに変換するＯＳＤデータ解像度変換手段と、
各解像度毎に設けられ、各解像度の映像信号と、該当するＯＳＤデータとを合成する合成手段と、
該合成手段で合成された映像信号を出力する出力手段とを備える。
【０００８】
また、好適な実施態様にしたがえば、ＯＳＤデータの解像度変換は、水平方向の解像度はＭ倍または１／Ｍ倍（Ｍは整数）、垂直方向の解像度をＮ倍または１／Ｎ倍（Ｎは整数）となるように解像度変換することが望ましい。
【発明の効果】
【０００９】
本発明によれば、共通なＯＳＤデータを用いて、各解像度の映像に重畳するＯＳＤデータを合成することになり、回路規模が削減できる。また、ＯＳＤデータの解像度変換を整数倍とすることにより、解像度変換に伴う品質劣化を防止することが可能になる。
【発明を実施するための最良の形態】
【００１０】
以下、添付図面に従って本発明にかかる実施形態を詳細に説明する。
【００１１】
＜装置構成の説明＞
図１は、実施形態における映像装置のブロック構成図である。ここでは映像装置としてデジタルビデオカメラによる構成例をあげている。なお、カメラ部の撮像解像度（ＣＣＤ）は、ＨＤ（High Definition）で有効最大表示エリアの解像度は１９２０×１０８０画素とし、解像度変換部１２４によりＳＤフォーマット（Standard Definition＝ＮＴＳＣ、ＰＡＬフォーマット）、有効最大表示エリアの解像度７２０×４８０、または、７２０×５７６にダウンコンバートする機能を有しているものとする。
【００１２】
図１において、１２７は映像装置全体の制御を司るシステム制御部であり、マイクロコンピュータで構成される。
【００１３】
１０１はメモリ制御部で、ＳＤ同期分離部１０３からの同期信号に同期して、映像解像度変換部１１５でダウンコンバートしたＳＤ映像に多重化するＯＳＤデータをメモリ１０２より読み出す。同様に、分周回路１３３を介して入力したＨＤ用の同期信号に同期して、カメラ部１２２またはＣＯＤＥＣ１２５から映像セレクタ１２３により選択されたＨＤ映像に多重化するＯＳＤデータをメモリ１０２より読み出す。
【００１４】
１０２はメモリで、本実施形態でカメラ部１２２またはＣＯＤＥＣ１２５から映像セレクタ１２３により選択されたＨＤ映像に対して最終的に多重化されるビットマップＯＳＤデータや、各種制御手段を実現するためのプログラムおよびデータ等を納め、制御実行のために必要に応じて作業領域としても使用するＲＯＭ及びＲＡＭである。
【００１５】
１０３はＳＤ同期分離部で、映像解像度変換部１２４でＨＤ映像からダウンコンバートされたＳＤ映像から垂直同期信号（ＶＤ）および水平同期信号（ＨＤ）を分離し、表示ピクセルに同期したドットクロック（ＳＤ＿ＤＯＴ＿ＣＬＫ）を生成し、メモリ制御部１０１およびＳＤ＿ＯＳＤ＿ＭＩＸ部１０５に送る。なお、この段階で、ＨＤ映像信号とＳＤ映像信号は非同期となる。
【００１６】
１０４は４ビット入力、１６ビット出力のＳＤカラーＬＵＴ（ルックアップテーブル）で、システム制御部１２７から格納データを変更（書き込み）可能とするためＲＡＭで構成される。入力４ビットで表わされるアドレスは０乃至１５であり、各アドレスに１６ビットのデータが格納されるわけであるから、ＳＤカラーＬＵＴ１０４の容量は１６×１６＝２５６ビット＝３２バイトの容量となる。出力される１６ビットには、輝度Ｙ、色差Ｃｒ、Ｃｂの値、映像との多重化の方法（透過や上書き、単純加算や相加平均、ブリンク可／不可など）が割り当てられている（詳細後述）。
【００１７】
１０５はＳＤ＿ＯＳＤ＿ＭＩＸ部で、映像解像度変換部１２４でＨＤ映像からダウンコンバートされたＳＤ映像に対して、ＳＤ同期部１０３で同期分離された同期信号に同期して、メモリ１０２から読み出されたＯＳＤデータ（１６ビット）により指定されたＳＤカラーＬＵＴ１０４に基づくＯＳＤの多重化を行う。
【００１８】
１０６はＤＡＣ（Digital Analog Converter）で、デジタル映像信号をアナログ映像信号に変換する。１０７は液晶ドライバーで、ＤＡＣ１０６で変換されたアナログ映像信号を液晶表示パネル１０８に表示するためのものである。１０８は液晶表示パネルで、カメラ部１２２から映像セレクタ１２３、映像解像度変換部１２４、ＳＤ＿ＯＳＤ＿ＭＩＸ部１０５、ＤＡＣ１０６、ドライバー１０７を経由してくる映像信号や、同様に記録再生部１２６からＣＯＤＥＣ１２５、映像セレクタ１２３を経由してくる再生映像信号や、装置が備える操作部１３０、各種センサ１３１からのユーザによる入力操作情報に基づき、システム制御部１２６により制御されるＯＳＤ（On Screen Display）情報などを表示する。
【００１９】
１０９はＤＡＣ（Digital Analog Converter）で、ＤＡＣ１０６と同じものである。１１０は液晶ドライバーで、ＥＶＦ１１１を駆動して表示を行う。１１１はＥＶＦ（Electrical View Finder）で、液晶表示パネル１０８と同等の表示を行う。
【００２０】
１１２はＤＡＣ（Digital Analog Converter）で、ＤＡＣ１０６、ＤＡＣ１０９と同じものである。１１３は７５Ωドライバーで、ラインアウトコネクタを経由して、外部に接続されたＴＶモニタ等（不図示）を駆動して映像信号を伝達する。１１４はラインアウトコネクタ部で、ＮＴＳＣやＰＡＬフォーマットの映像信号をコンポジット信号または、輝度と色差を独立して送るＳ信号として出力する。
【００２１】
１１５はＨＤ同期分離部で、カメラ部１２２またはＣＯＤＥＣ１２５から映像セレクタ１２３により選択されたＨＤ映像から垂直同期信号（ＨＤ＿ＶＤ）および水平同期信号（ＨＤ＿ＨＤ）を分離し、表示ピクセルに同期したドットクロック（ＨＤ＿ＤＯＴ＿ＣＬＫ）を生成し、分周回路１３３及びＨＤ＿ＯＳＤ＿ＭＩＸ部１１８に送る。
【００２２】
分周回路１３３は、入力したＨＤ＿ＶＤ、ＨＤ＿ＨＤ、ＨＤ＿ＤＯＴ＿ＣＬＫを、ＳＤフォーマットの同期信号ＳＤ＿ＶＤ’、ＳＤ＿ＨＤ’、ＳＤ＿ＤＯＴ＿ＣＬＫ’としてメモリ制御部１０１に出力する。
【００２３】
１１６はＯＳＤ解像度変換部で、メモリ１０２からメモリ制御部１０１経由で読み出したＯＳＤデータを、システム制御部１２７からの制御で、水平方向および垂直方向を独立して任意に整数倍する。メモリ１０２からは、ＳＤ用のＯＳＤデータが出力されるので、水平、垂直方向に整数倍することでＨＤ用のＯＳＤデータを生成することになる。
【００２４】
１１７は、ＳＤカラーＬＵＴ１０４と同様、４ビット入力１６ビット出力のＨＤカラーＬＵＴ（ルックアップテーブル）であって、システム制御部１２７からそのデータ内容が変更可能となっている。なお、このＨＤカラーＬＵＴ１１７から出力される１６ビットの各ビットの意味は、ＳＤカラーＬＵＴ１０４と同じで、輝度Ｙ、色差Ｃｒ、Ｃｂの値、映像との多重化の方法（透過や上書き、単純加算や相加平均、ブリンク可／不可など）が割り当てられている（詳細後述）。
【００２５】
１１８はＨＤ＿ＯＳＤ＿ＭＩＸ部で、カメラ部１２２またはＣＯＤＥＣ１２５から映像セレクタ１２３により選択されたＨＤ映像に対して、ＨＤ同期部１１５で同期分離された同期信号に同期して、メモリ１０２から読み出されたＯＳＤデータをＯＳＤ解像度変換部１１６で水平方向および垂直方向を独立して任意に整数倍したＯＳＤデータにより指定されたＨＤカラーＬＵＴ１１７に基づくＯＳＤの多重化を行う。
【００２６】
１１９はＤＡＣ（Digital Analog Converter）で、ＨＤ解像度の表示までＤＡ変換可能な高速変換特性を有している。１２０は７５Ωドライバーで、Ｄ端子に接続された、外部ＨＤ対応モニタ等（不図示）を駆動して映像信号を伝達する。１２１はＤ端子コネクタで、ＪＥＩＴＡ：社団法人電子情報技術産業協会（旧ＥＩＡＪ）が作成した「CP-4120  デジタルチュ−ナとテレビジョン受信機のD端子接続」に基づくコネクタで、別途Ｄ端子ケーブル（不図示）を用いて、外部ＴＶモニタ等（不図示）と接続コネクタある。
【００２７】
１２２はカメラ部で、ここでは、レンズやＣＣＤ（Charge Coupled Device）、その他撮像に必要な周辺回路・機能を含み、ＨＤの撮影が行えるものとする。
【００２８】
１２３は映像セレクタで、システム制御部１２６からの制御により、カメラ部１２２またはＣＯＤＥＣ部１２５からの映像信号を選択する。
【００２９】
１２４は映像解像度変換部で、ここでは、カメラ部からのＨＤ映像をＳＤ映像にダウンコンバートする機能を有するものとする。
【００３０】
１２５はＣＯＤＥＣ部で、ＭＰＥＧ２（Moving Picture Experts Group）フォーマットによりＨＤ映像信号をＭＰＥＧ２エンコード（符号化）して、記録再生部１２６に送り、記録媒体（不図示）に記録する。また、再生時は記録再生部１２６において記録媒体（不図示）から記録データを読み出し、ＣＯＤＥＣ部でＭＰＥＧ２デコード（復号化）して映像セレクタ１２３に送る。
【００３１】
１２６は記録再生部で、磁気テープや光ディスク、ＨＤＤなどの記録媒体（不図示）にＣＯＤＥＣ１２５でエンコードされた映像データを記録する。また、再生時は、上記記録媒体から、エンコードされている映像データを読み出し、ＣＯＤＥＣ部１２５に渡す。
【００３２】
１２７は装置全体の制御を司るシステム制御部で、ユーザが操作する操作部１３１（録画ボタン、再生ボタン、早送り等の指示スイッチ）、各種センサ１３２（バッテリー残量センサ、記録媒体有無センサ、タイマ等）が接続されていて、撮影、再生の切り換えは勿論、それぞれにおいて適宜撮影映像に重畳表示するためのＯＳＤデータ（１画素＝４ビット）をメモリ制御部１０１を介してメモリ１０２に書き込むことになる。
【００３３】
＜メモリ制御部１０１＞
図２は実施形態におけるメモリ制御部１０１のブロック構成と、メモリ１０２との関係を示している。実施形態における映像装置はＳＤフォーマットとしてＮＴＳＣ（７２０×４８０画素）、ＨＤフォーマットとして１９２０×１０８０画素のビデオ信号をそれぞれ出力するものとする。
【００３４】
この場合、実施形態におけるメモリ１０２は、１画素当たり４ビットとし、水平、垂直に対してＮＨ×ＮＶ画素数分の容量を有する。ここでＮＨ，ＮＶであるが、ＳＤフォーマットのサイズより少なく、且つ、それを整数倍した際にＨＤフォーマットのサイズを越えないものである。例えば、ＮＨ＝６００、ＮＶ＝４００である。
【００３５】
メモリ制御部１０１は、アドレス発生回路４００、４０１とアドレスバス調停回路４０２で構成される。
【００３６】
アドレス発生回路４００は、ＳＤ同期分離部１０３より発生した同期信号ＳＤ＿ＶＤ、ＳＤ＿ＨＤ、及びＳＤ＿ＤＯＴ＿ＣＬＫに基づき、メモリ１０２からＯＳＤデータを読み出すためのラスタースキャン順のアドレス信号を発生する。
【００３７】
また、アドレス発生回路４０１は、分周回路１３３から出力された同期信号ＳＤ＿ＶＤ’、ＳＤ＿ＨＤ’、及びＳＤ＿ＤＯＴ＿ＣＬＫ’に基づき、同様のアドレス信号を発生する。分周回路１３３は、ＨＤ同期分離部１１５からのＨＤフォーマットの同期信号に基づき、ＳＤフォーマットの同期信号を生成するので、アドレス発生回路４０１はＤ端子コネクタ１２１より出力するためのＯＳＤデータ読み込みアドレスを発生することになる。
【００３８】
アドレスバス調停回路４０２は、システム制御部１２７からのメモリ１０２へのＯＳＤビットマップデータの書き込み／読出しと、上記の２つのアドレス発生回路４００、４０１のアドレスの調停を行う。ただし、読み出されたＯＤＳデータは、ＳＤフォーマットに対応する解像度のデータであるので、ＨＤフォーマットで表示すると小さなものとなってしまう。そこで、ＨＤフォーマットで出力するＯＳＤデータについては、ＯＳＤ解像度変換部１１６において水平、垂直とも整数倍（実施形態ではそれぞれ２倍）にして出力する。
【００３９】
なお、昨今のメモリは実に数百Ｍクロックでアクセスできるので、アドレスバス調整回路４０２とメモリ１０２との帯域は、ＯＳＤデータの読出しに対して十分な帯域が確保されている。従って、各アドレス発生回路４００、４０１からのＯＳＤ表示のためのＯＳＤデータの読出しを行っている最中でも、システム制御部１２７はメモリ１０２に対して、表示すべきＯＳＤデータの書き込みは可能となっている。
【００４０】
＜ＬＵＴの説明＞
先に説明したように、メモリ１０２から読み出された１画素のＯＳＤデータは４ビットとしている。この４ビットのデータがＳＤカラーＬＵＴ１０４、ＨＤカラーＬＵＴ１１７にてそれぞれ１６ビットのデータにデコードされ、それぞれのＯＳＤ＿ＭＩＸ部１０５、１１８にて、映像データとＯＳＤデータの合成処理が行われる。
【００４１】
１６ビットの各ビットの意味は、図３に示すように割り当てられている。ＭＳＢ（ビット１５）は、撮像映像もしくは再生映像（以下、単に撮像データという）、ＯＳＤデータのいずれを通過させるかを示すビットとした。撮像データを通過させる場合には、ビット１４以下のビットは無意味になる。換言すれば、以下の説明は、少なくともＯＳＤデータを表示する場合にのみ意味を持つことになる。
【００４２】
ビット１４は単純ＯＳＤ、映像データとＯＳＤデータとの相加平均のいずれで表示するのかを示すものである。単純ＯＳＤがセットされていれば、その該当する画素はＯＳＤのみが表示されることになる。また、相加平均の場合、ＯＳＤと撮像映像が５０％ずつ混合することで、ＯＳＤに透けて撮像画像が表示されることになる。
【００４３】
ビット１３はブリンク（点滅）表示する／しない示すものである。
【００４４】
ビット９乃至１２はリザーブを示し、ビット０乃至７はＹ，ＣＢ，Ｃｒのデータが格納される。
【００４５】
従って、システム制御部１２７は、例えば図４に示すように、撮影年月日、時刻、並びにバッテリー残量のＯＳＤを行う場合には、メモリ１０２に撮影年月日、時刻の文字パターン、並びにバッテリー残量を示すシンボルパターンをメモリ１０２に書き込む。このとき、ＳＤカラールックアップテーブル１０４のアドレス０乃至１５の位置に、図３に示す様なデータを書き込んでおけば、所望とする色、及び、所望とする形態で表示を行わせることが可能となる。
【００４６】
同様に、ＨＤカラーＬＵＴ１１７に対しても、同様のデータを書き込んでおくことで、ＨＤ用のＯＳＤが可能となる。
【００４７】
なお、上記説明からもわかるように、ＨＤカラーＬＵＴ１１７の０乃至１５の全アドレスの１６ビットデータ中のＭＳＢを、映像データを通過するように設定すると、液晶表示パネル１０８等にはＯＳＤが表示されるものの、Ｄ端子に接続されたＨＤ対応ディスプレイ装置には映像データのみを表示することが可能になる。
【００４８】
つまり、ＳＤフォーマットとＨＤフォーマットそれぞれに独立したカラーＬＵＴを設け、且つ、それぞれのＯＳＤ＿ＭＩＸ部１０５、１０８がＯＳＤ表示する際の処理を独立して行うことで、１つのＯＳＤデータを共有しながらも、表示色、表示効果を独立させることが可能となり、なおかつ、最終的に表示する映像データを出力する直前でＯＳＤと合成するので、ＯＳＤの画質劣化を防ぐことが可能となる。
【００４９】
＜表示画面との関係＞
ここで、実施形態におけるＨＤ表示画面及びＳＤ表示画面と、ＯＳＤデータを多重化した際の関係を図５に示し、以下に説明する。
【００５０】
図５において、２０１はＨＤの有効表示エリアのフル解像度１９２０×１０８０（水平１９２０ピクセル、垂直１０８０ライン／フレーム）を表している。表示はインターレス表示とし、フィールド当たりは、１９２０×５４０となる（１フレームでは１９２０×１０８０）。
【００５１】
２０２はＨＤ表示対応の表示装置の有効表示エリアを表している。各種テレビモニタの使用により、有効表示エリアの解像度はそれぞれ異なる。おおよそ有効表示エリア２０１の８５％前後が一つの目安となる。
【００５２】
２０３はＳＤ解像度のままで、ＯＳＤを多重化した場合のＳＤ−ＮＴＳＣのフル解像度７２０×４８０（水平７２０ピクセル、垂直４８０ライン／フレーム）を表している。表示はインターレス表示なので、フィールドの大きさは７２０×２４０となる。
【００５３】
２０４は、各種表示装置において、欠けて表示されないように、ＯＳＤを多重化するエリアをＳＤ−ＮＴＳＣのフル解像度２０３よりも内側にとったＯＳＤ  ＡＲＥＡイメージエリアである。ここで、ＯＳＤ  ＡＲＥＡイメージエリアのサイズをＮＨ×ＮＶ（水平ＮＨピクセル、垂直ＮＶライン／フレーム）と仮定したとき、ＮＨ、ＮＶは整数で、ＮＨ≦７２０、ＮＶ≦４８０とする。
【００５４】
２０５はＳＤ−ＮＴＳＣのフル解像度２０３を水平方向に２倍、垂直方向にも２倍したＳＤ−ＮＴＳＣ（×２）の解像度１４４０×９６０（水平１４４０ピクセル、垂直９６０ライン／フレーム）を表している。
【００５５】
２０６はＯＳＤ  ＡＲＥＡ２０４を水平方向に２倍、垂直方向にも２倍したＯＳＤ  ＡＲＥＡ（×２）の解像度２ＮＨ×２ＮＶ（水平２ＮＨピクセル、垂直２ＮＶライン／フレーム）を表している。
【００５６】
実施形態の場合、ＳＤ表示、ＨＤ表示のいずれであっても、共通のＯＳＤデータが欠けることなく表示するため、
２ＮＨ≦１４４０、２ＮＶ≦９６０
となるようにした。先に説明した６００×４００は、上記条件を満たしている。
【００５７】
以上は、ＳＤフォーマットとしてＮＴＳＣを採用する例であったが、ＰＡＬフォーマットの場合を図６に示す。
【００５８】
図５の場合と異なるのは、サイズである。特に注意したい点は、ＳＤ−ＰＡＬのフル解像度のエリア３０３を水平方向に２倍、垂直方向にも２倍にすると、ＨＤフル解像度のエリア２０１を越えてしまう点である。従って、ＯＳＤエリア３０４の２倍にしたエリア３０６は、ＨＤ表示対応の表示装置の有効表示エリア３０２の範囲内に入るようにＰＨおよびＰＶを決めれば、上記実施形態におけるＯＳＤの多重化表示には、問題が生じないことがわかる。この場合にも、ＰＨ＝６００、ＰＶ＝４００がこの条件を満たす代表例と言える。
【００５９】
以上より、本実施形態の映像装置によれば、映像と、映像に多重化するためのＯＳＤデータの解像度を、独立して変換してから多重化することで、それぞれの品位を損なうことなく、かつ、共通のＯＳＤデータから、元映像が同じで解像度の異なる複数の映像に対して、有効表示エリア内に表示色も独立して制御可能なOSDデータの多重化表示が可能になる。即ち、従来は、異なる解像度の映像に多重化するＯＳＤデータをそれぞれ持つ必要があったものが、単一のＯＳＤデータを用意するだけでよくなり、ＡＳＩＣ化する場合などの回路規模が削減できる。ＯＳＤの表示品位においても、ＯＳＤの解像度変換を整数倍とすることにより、解像度変換に伴う品質劣化を防止することが可能になる。
【００６０】
なお、実施形態では、ＮＴＳＣとＨＤ、ＰＡＬとＨＤを例にして説明したが、ＮＴＳＣ，ＰＡＬ、ＨＤの３つの表示機能を有する装置に適用しても構わない。また、実施形態では、ＳＤフォーマットの映像信号は、液晶表示パネル、ＥＶＦ、ラインアウトコネクタに共通な例を説明したが、例えば液晶表示パネルやＥＶＦは装置に固定的に設けられるものであるから、これらはラインアウトコネクタから出力する解像度と同じである必要もない。すなわち、実施形態では、２つの解像度を例にして説明したが、３つあるいはそれ以上でも構わない。
【図面の簡単な説明】
【００６１】
【図１】実施形態におけるデジタルビデオカメラのＯＳＤ関連のブロック構成図である。
【図２】実施形態にメモリ制御部のブロック構成図である。
【図３】実施形態におけるＳＤカラーＬＵＴ及びＨＤカラーＬＵＴの出力データのビット割り当てないようを示す図である。
【図４】映像信号にＯＳＤデータを合成した例を示す図である。
【図５】実施形態におけるＨＤの表示画面とＮＴＳＣの表示画面、及び、ＯＳＤデータエリアとの関係を示す図である。
【図６】実施形態におけるＨＤの表示画面とＰＡＬの表示画面、及び、ＯＳＤデータエリアとの関係を示す図である。
【図１】
2005326684.tif 000003
【図２】
2005326684.tif 000004
【図３】
2005326684.tif 000005
【図４】
2005326684.tif 000006
【図５】
2005326684.tif 000007
【図６】
2005326684.tif 000008